(57)【要約】【課題】  家具本体に対して扉を容易に着脱することができる家具用蝶番を提供する。【解決手段】家具用蝶番は、タンス本体１０に固設される上下一対の蝶番本体２０、５０と、回動扉１２の背面に固設される上下一対の取付け部材４０、６０とにより構成されている。取付け部材４０、６０は一対の係合孔４５、４６を有し、これら係合孔４５、４６が蝶番本体２０、５０の第１支軸３７及び第２支軸３８に挿脱可能となるように構成されている。即ち、この家具用蝶番では、蝶番本体と取付け部材とが凹凸関係（係合孔４５、４６と支軸３７、３８）により挿脱可能に連結され、これに伴ってタンス本体１０に対して回動扉１２を容易に着脱することができる。【選択図】      図１
2005232874.tif 000002
【特許請求の範囲】
【請求項１】
開口を有する家具本体の開口端部に固設される蝶番本体と、前記開口を閉止する扉に固設される取付け部材とを備えた家具用蝶番であって、
前記蝶番本体は、前記扉の開閉に伴って回動する回動面を有し、
前記取付け部材は、前記回動面に係止する係止面を有してなり、
前記回動面と前記係止面との間には、第１係合手段及び第２係合手段が設けられ、
前記第１係合手段及び前記第２係合手段は、いずれも互いに係合し合う凹凸関係により構成されていることを特徴とする家具用蝶番。
【請求項２】
前記回動面は、前記第１係合手段と前記第２係合手段との間に回動中心を有してなることを特徴とする請求項１に記載の家具用蝶番。
【請求項３】
前記第１係合手段は、前記回動面に設けられる第１係合凸部と前記係止面に穿設される第１係合凹部とより構成され、
前記第２係合手段は、前記回動面に設けられる第２係合凸部と前記係止面に穿設される第２係合凹部とより構成されていることを特徴とする請求項１又は請求項２に記載の家具用蝶番。
【請求項４】
前記取付け部材は前記係止面を有する係止板を備え、
前記第１係合凹部は前記係止板の周縁に向かって開口される第１開口部を有し、且つ前記第２係合凹部は前記係止板の周縁に向かって開口される第２開口部を有してなることを特徴とする請求項３に記載の家具用蝶番。
【請求項５】
前記第１開口部は前記第２開口部とは異なる方向に向かって開口されていること特徴とする請求項４に記載の家具用蝶番。
【請求項６】
前記第１開口部の開口幅は第１係合凹部以上に形成され、前記第２開口部の開口幅は第２係合凹部よりも縮径され、
前記第２係合凸部の先端部は前記第２開口部内に係入され、同第２係合凸部の基端部は前記第２係合凹部内に嵌入されるように形成されていること特徴とする請求項４又は請求項５に記載の家具用蝶番。
【発明の詳細な説明】
【技術分野】
【０００１】
本発明は、家具の扉を家具本体に対して回動かつ着脱可能に支持するための家具用蝶番に関するものである。
【背景技術】
【０００２】
従来より、この種の家具用蝶番としては以下に示すものが知られている（例えば、特許文献１参照）。この家具用蝶番は、家具本体の側板の内側に固着される上下一対の第１蝶番部材と、該第１蝶番部材に対向する扉に固着される第２蝶番部材とを備えている。第１蝶番部材には第１アームの一端部が第１ピンを介して取着されるとともに、該第１アームの他端部には第２アームの一端部が第２ピンを介して取着されている。第２アームの他端部には第３アームの一端部が第３ピンを介して取着されている。一方、第３アームの他端部は第１支軸を介して第２蝶番部材に固着されている。そして、扉の開放に伴って、第１アームが第１ピンを軸として第１蝶番部材に対して回動するとともに、第３アームが第３ピンを軸として第２アームに対して回動するようになっている。
【特許文献１】特開２０００−１２０３１８号公報
【発明の開示】
【発明が解決しようとする課題】
【０００３】
ところが、上記従来の技術では、家具本体内の清掃、整頓等のため家具本体から扉を取り外す際には、まず複数のシャフトを引き抜き、次いで第１アーム及び第２アーム等を一旦取り外す必要がある。そのため、家具本体から扉を取り外す操作が面倒であった。
【０００４】
本発明は、このような従来技術に存在する問題点に着目してなされたものである。その目的とするところは、家具本体に対して扉を容易に着脱することができる家具用蝶番を提供することにある。
【課題を解決するための手段】
【０００５】
上記の目的を達成するために、請求項１に記載の発明の家具用蝶番は、開口を有する家具本体の開口端部に固設される蝶番本体と、前記開口を閉止する扉に固設される取付け部材とを備えた家具用蝶番であって、前記蝶番本体は、前記扉の開閉に伴って回動する回動面を有し、前記取付け部材は、前記回動面に係止する係止面を有してなり、前記回動面と前記係止面との間には、第１係合手段及び第２係合手段が設けられ、前記第１係合手段及び前記第２係合手段はいずれも互いに係合し合う凹凸関係により構成されていることを要旨とする。このように構成した場合、蝶番本体と取付け部材とが第１係合手段及び第２係合手段を介して係脱可能に連結され、これに伴って家具本体に対して扉が着脱可能とされる。
【発明の効果】
【０００６】
本発明によれば、家具本体に対して扉を容易に着脱することができる。
【発明を実施するための最良の形態】
【０００７】
以下、本発明をタンス用の蝶番に具体化した最良の実施形態を図面に従って詳細に説明する。なお、本実施形態における上下左右は、閉止状態の扉を前方から見た場合の上下左右を示すものとする。
【０００８】
図１に示すように、家具としてのタンスは、家具本体としてのタンス本体１０を備えている。タンス本体１０は、四角板状をなす底板１０ａと、その底板１０ａの周縁から立設された左側板１０ｂ、右側板（図示せず）及び後側板（図示せず）と、それら各側板の上端を覆う天板１０ｃとより四角箱状に形成されている。タンス本体１０の前面には、タンスの中に収容物を挿脱するための開口１１が正面四角形状となるように形成されている。このタンス本体１０の前面には、四角板状をなす扉としての回動扉１２が設けられ、前記開口１１を開閉可能に形成されている。
【０００９】
天板１０ｃの前端部左隅下面には、本体側上部凹所１３が凹設されており、該本体側上部凹所１３内には第一の蝶番本体としての上部蝶番本体２０が配設されている。底板１０ａの前端部左隅上面には本体側下部凹所１４が凹設されており、該本体側下部凹所１４内には第二の蝶番本体としての下部蝶番本体５０が配設されている。一方、回動扉１２の左上方隅部背面には、扉側上部凹所１５が凹設されており、該扉側上部凹所１５内には第一の取付け部材としての上部取付け部材４０が配設されている。同回動扉１２の左下方隅部背面には、扉側下部凹所１６が凹設されており、該扉側下部凹所１６内には第二の取付け部材としての下部取付け部材６０が配設されている。
【００１０】
前記上部蝶番本体２０及び上部取付け部材４０は第一の蝶番を構成し、タンス本体１０及び回動扉１２それぞれの左側部上端部同士を回動可能に連結している。前記下部蝶番本体５０及び下部取付け部材６０は第二の蝶番を構成し、タンス本体１０及び回動扉１２それぞれの左側部下端部同士を回動可能に連結している。そして、これら第一及び第二の蝶番によって、タンス本体１０の開口１１には、左側部を中心に略前後方向に開閉する回動扉１２が連結されている。
【００１１】
まず、上部蝶番について説明する。この上部蝶番を構成する上部蝶番本体２０は、図２に示すように、支持部材２１上にスライド部材２５、回動アーム３１及び回動部材３４が連結されて構成されている。
【００１２】
前記支持部材２１は側断面略Ｌ字状に形成されている。この支持部材２１は、長四角板状をなす支持部２２と、該支持部２２の後端縁から立設された長四角板状をなす補強部２３と、該補強部２３の上端縁から後方に延設された長四角板状をなす固定部２４とを備えている。なお、支持部材２１をタンス本体１０に固定したとき、前記支持部２２は水平面に沿って延設されるように配置される（図１参照）。
【００１３】
支持部２２の一端部、即ち中央より右方には長孔状をなす第１ガイド溝としての第１ガイド孔２２ａが設けられている。この第１ガイド孔２２ａは、閉止状態の回動扉１２に沿うように横方向（左右方向）に沿って透設されている。支持部２２の他端部、即ち中央より左方には長孔状をなす第２ガイド溝としての第２ガイド孔２２ｂが設けられている。この第２ガイド孔２２ｂは、支持部２２の左側部後方から中央部前方へ向けて斜状に形成されている。該第２ガイド孔２２ｂの右端部（一端部）は、左端部（他端部）よりも前方、即ち閉止状態の回動扉１２に近接する位置に配設されている。また、支持部２２の右側部前端部には支持孔２２ｃが円孔状に穿設されている。
【００１４】
支持部２２の前端縁の延設方向（左右方向）に対する第２ガイド孔２２ｂの傾斜角度θ（図２参照）は概ね３０°に設定されている。支持部材２１の補強部２３の右側縁には第１掛止フック２３ａが前方に延びるように折り曲げ形成されている。また、前記固定部２４の左右両側部にはそれぞれ固定孔２４ａが円孔状に穿設されている。本実施形態の支持部材２１は、固定部２４を本体側上部凹所１３の下面に当接させた状態で、各固定孔２４ａ内に木ネジ（図示せず）を挿通して天板１０ｃに対しねじ込むことによりタンス本体１０に固設されている（図１参照）。
【００１５】
支持部材２１の支持部２２上面には、鋼板により平面視略Ｌ字状に形成されたスライド部材２５が配設されている。このスライド部材２５は、左右方向に長四角板状に延びる長片部２６と、該長片部２６から前方に延びる短片部２７とより平面視略Ｌ字状に形成されている。長片部２６の先端部（右端部）には第１挿通孔２６ａが円孔状に穿設されている。この第１挿通孔２６ａには前記第１ガイド孔２２ａ内に挿通される第１ガイド凸部としての第１ピン２８の先端がかしめ着けされている。短片部２７には前後方向に一対の挿通孔がそれぞれ円孔状に穿設されている。これら挿通孔のうち、後方に位置する挿通孔を第２挿通孔２７ａ、前方に位置する挿通孔を第３挿通孔２７ｂとする。該第２挿通孔２７ａには前記第２ガイド孔２２ｂ内に挿通される第２ガイド凸部としての第２ピン３０の先端がかしめ着けされている。
【００１６】
上記第１ピン２８及び第２ピン３０はそれぞれ第１ガイド孔２２ａ及び第２ガイド孔２２ｂに沿って摺動可能に係合されており、これによりスライド部材２５は各ガイド孔２２ａ、２２ｂの長さ分だけ水平面に沿いながら左右方向にスライドされるようになっている。即ちスライド部材２５は、第１ピン２８及び第２ピン３０がそれぞれ第１ガイド孔２２ａ及び第２ガイド孔２２ｂの左端部（他端部）に係止される扉閉止位置と、右端部（一端部）に係止される扉開放位置との間をスライド可能に構成されている（図７及び図９参照）。
【００１７】
スライド部材２５の長さ方向中央部上面には第２掛止フック２５ａが設けられている。この第２掛止フック２５ａには、付勢部材としてのコイルばねＣ１の一端（左端）が掛止されている。一方、コイルばねＣ１の他端（右端）は、第２掛止フック２５ａよりも僅かに上方に設けられた第１掛止フック２３ａに掛止されている。このコイルばねＣ１は、スライド部材２５を右側上方に付勢するように構成されている。これにより、スライド部材２５は前記扉閉止位置から前記扉開放位置へスムーズにスライドするようになっている。
【００１８】
上記スライド部材２５の前方には、鋼板により細長四角板状をなす回動アーム３１が配設されている。この回動アーム３１の右端部（一端部、基端部）には第４挿通孔３１ａが円孔状に穿設されており、当該第４挿通孔３１ａには固定軸としての第３ピン３２が嵌挿されるようになっている。この第３ピン３２の先端部は前記支持部材２１の支持孔２２ｃにかしめ着けされることにより嵌挿されている。これにより回動アーム３１は第３ピン３２を軸芯として前後方向に回動可能となっている。一方、回動アーム３１の左端部（他端部、先端部）には第５挿通孔３１ｂが円孔状に穿設されている。
【００１９】
上記スライド部材２５及び回動アーム３１の左端部上面には、鋼板により四角板状をなす回動部材３４が配設されている。この回動部材３４の上面は、水平面に沿って延びるように形成されており、上記上部取付け部材４０を支持するための回動面３５となっている。回動部材３４の左端部には第６挿通孔３４ａが円孔状に穿設されており、同回動部材３４の右端部には第７挿通孔３４ｂが円孔状に穿設されている。第６挿通孔３４ａにはその上方から第１回動軸としての第１支軸３７が挿通されており、第７挿通孔３４ｂにはその上方から第２回動軸としての第２支軸３８が挿通されている。
【００２０】
第１支軸３７は円柱状に形成されている。この第１支軸３７の上部は円柱状をなす第１係合凸部３７ａとなっており、下端部は第１係合凸部３７ａよりも縮径された円柱状に形成されている。この第１支軸３７の下端部は前記第６挿通孔３４ａ内に挿通されるとともにスライド部材２５の第３挿通孔２７ｂにかしめ着けされている。即ち、該第１支軸３７は、スライド部材２５の上面に回動部材３４の左端部を回動可能となるように軸支している。
【００２１】
また、第２支軸３８は円柱状に形成されている。第２支軸３８の下端部は回動アーム３１の第５挿通孔３１ｂにかしめ着けされている。第２支軸３８の中央部は、上端部及び下端部よりも拡径された円柱状をなしている。この第２支軸３８の中央部及び上端部が第２係合凸部３８ａとなっている。この第２係合凸部３８ａの下方に位置する第２支軸３８の下端部は、前記第７挿通孔３４ｂ内に挿通されるとともに前記回動アーム３１の第５挿通孔３１ｂにかしめ着けされている。即ち、該第２支軸３８は、回動アーム３１の上面に回動部材３４の右端部を回動可能となるように軸支している。この第２支軸３８は、前記第１支軸３７から離間した位置で前記回動部材３４に軸着されている。
【００２２】
回動部材３４は、スライド部材２５及び回動アーム３１の左端部同士を連結するとともに、スライド部材２５及び回動アーム３１と一体で変位するように構成されている。具体的には、回動部材３４は、第３ピン３２を軸とした回動アーム３１の回動変位に基づく第２支軸３８の円弧運動と、スライド部材２５の横方向へのスライドに伴う第１支軸３７の略直線移動とのリンク運動により、支持部材２１に対して横方向へスライドしながら回動変位するようになっている（図７〜図９参照）。なお、この回動部材３４は、第１支軸３７と第２支軸３８との間に回動中心を有している。
【００２３】
図１及び図４（ｃ）に示すように、上部取付け部材４０は、回動扉１２の扉側上部凹所１５下方に当接する固定板４１と、該固定板４１の上端縁から延設され側断面Ｌ字状をなす補強板４２と、該補強板４２の上端縁から水平面に沿って延設される係止板４３とを備えている。図４（ａ）に示すように、前記固定板４１は四角板状をなし、その四隅にはそれぞれ固定孔４１ａが円孔状に穿設されており、各固定孔４１ａ内に木ネジ（図示せず）を挿通して回動扉１２の背面にねじ込むことにより、上部取付け部材４０を回動扉１２に固定するようになっている。このとき、前記補強板４２は扉側上部凹所１５の背面に当接され、係止板４３は扉側上部凹所１５内に配設されている。更に、係止板４３の先端縁は回動扉１２の背面とほぼ面一となっている（図４（ｃ）参照）。
【００２４】
前記係止板４３の下面は、上部蝶番本体２０に取付けられる際に前記回動部材３４の回動面３５に係止する係止面４４となっている（図２参照）。図４（ｂ）に示すように、係止板４３の左側部には、第１係合凹部としての第１係合孔４５が円孔状に穿設されている。該第１係合孔４５の一端（左端）は係止板４３の左側縁に向かって切欠かれることにより開口された第１開口部４５ａとなっている。この第１係合孔４５は、前記上部蝶番本体２０の第１係合凸部３７ａを挿脱可能に嵌入させるように構成されている。第１開口部４５ａの開口幅は、第１係合孔４５の最大幅よりも僅かに広く設定されている。第１係合孔４５の前後両端縁は第１挟持側面４５ｂとなっており、前記第１支軸３７が係脱自在に係合されるようになっている。
【００２５】
一方、係止板４３の右端部には、第２係合凹部としての第２係合孔４６が円孔状に穿設されている。該第２係合孔４６の一端（後端）は係止板４３の後端縁に向かって切欠かれることにより開口された第２開口部４６ａとなっている。この第２係合孔４６は、前記上部蝶番本体２０の第２係合凸部３８ａを挿脱可能に係入させるように構成されている。第２開口部４６ａは、その開口幅が第２係合孔４６（第２係合凸部３８ａ）の最大幅よりも狭く、且つ第２係合凸部３８ａの上端部（先端部）よりも広く設定されている。この第２係合孔４６には前記第２支軸３８の上端部が水平面に沿って挿脱可能とされるとともに、その第２係合凸部３８ａが水平面に沿って抜け出ないようになっている。即ち、第２係合孔４６の第２開口部４６ａは、左右両側縁が所定幅となるように形成されることによって、第２係合凸部３８ａを抜止め係止するための抜止部４７を有している。ここで、前記第１係合孔４５から第１開口部４５ａへと延びる第１開口部４５ａの開口方向は、前記第２係合孔４６から第２開口部４６ａへと延びる第２開口部４６ａの開口方向とほぼ直交方向に開口されている。
【００２６】
次に、下部蝶番について説明する。図３に示すように、この下部蝶番を構成する下部蝶番本体５０は、側断面略Ｌ字状をなす支持部材２１上にスライド部材２５、回動アーム３１及び回動部材３４が連結されている。この下部蝶番は、下部蝶番本体５０と、該下部蝶番本体５０に対し着脱可能に係止される下部取付け部材６０とを備えている。下部蝶番本体５０は上記上部蝶番本体２０と比較して支持部材２１の形状のみが異なり、下部取付け部材６０は上記上部取付け部材４０に対しほぼ上下に対称となる形状に形成されている。
【００２７】
下部蝶番本体５０における支持部材２１は、長四角板状をなす支持部２２と、該支持部２２の後端縁から垂下された長四角板状をなす補強部（図示略）と、該補強部の下端縁から後方に延設された固定部２４とを備えている。更に、支持部２２の右側部後端には、立設片５１が立設されており、該立設片５１の右側縁には第１掛止フック２３ａが前方に折り曲げ形成されている。そして、上記上部蝶番本体２０と同様、スライド部材２５の第２掛止フック２５ａにコイルばねＣ１の一端（左端）が掛止されるとともに、他端（右端）が支持部材２１の第１掛止フック２３ａに掛止されている。図５（ａ）〜（ｃ）に示すように、下部取付け部材６０は、前記扉側下部凹所１６の上方に当接する固定板４１と、該固定板４１の下端から逆Ｌ字状に延びる補強板４２と、該補強板４２の下端から延設される係止板４３とより構成されている。
【００２８】
そして、両取付け部材４０、６０の第１係合孔４５に第１支軸３７を、第２係合孔４６に第２支軸３８を係合するとともに、それらの係止面４４を蝶番本体２０、５０の回動面３５にそれぞれ係止することにより、タンス本体１０の開口端部左側縁の上下部と、回動扉１２の背面左側縁の上下部とが連結されている（図１参照）。この状態において、上部蝶番及び下部蝶番を介して回動扉１２がタンス本体１０に対して回動可能に取着されている。
【００２９】
次に、上記のように構成されるタンスの作用について説明する。
このタンスは、タンス本体１０の開口に対して扉が着脱自在となるように構成されており、タンス本体１０内の掃除や嵩張る収容物の出し入れ等に高い利便性が発揮される。タンス本体１０に回動扉１２を取着する場合には、まず、図６（ａ）に示すように、予め回動扉１２に固設された両取付け部材４０、６０の第１開口部４５ａを両蝶番本体２０、５０の前方から第１支軸３７に近づける。そして、該第１支軸３７を第１開口部４５ａから第１係合孔４５内へと挿入し、前後一対の第１挟持側面４５ｂと第１支軸３７の周面とを係合させる（図６（ｂ）参照）。次に、図６（ｃ）に示すように、両取付け部材の第２開口部４６ａを第２支軸３８に近づけ、該第２支軸３８の上端部を第２開口部４６ａから第２係合孔４６内へと挿入した後、回動扉１２全体を重力に従って落下させる。
【００３０】
このとき、第２支軸３８の上端部の径は第２係合孔４６の抜止部４７間の間隙よりも小さく設定されているため、第２支軸３８の上端部が第２開口部４６ａ内を水平面に沿ってスムーズに通過した後に第２係合孔４６内に嵌入され得る。更にこのとき、前記回動扉１２の自重による落下に伴って、両取付け部材４０、６０の係止板４３（第２係合孔４６側の係止板４３）が下方へ移動し、それら係止板４３の係止面４４がそれぞれ蝶番本体２０、５０の回動部材３４上面の回動面３５に当接される。その結果、第２支軸３８の第２係合凸部３８ａが第２係合孔４６内に係合されつつ第２開口部４６ａの第２挟持側面４６ｂにより抜止め係止され、取付け部材４０、６０と蝶番本体２０、５０とがそれぞれ連結される。
【００３１】
また、図７に示すように、スライド部材２５の短片部２７及び回動アーム３１の左端部が支持部材２１内に収容されている状態でタンス本体１０に回動扉１２を取着する場合には、まず第２支軸３８に手指を掛け、該第２支軸３８を前方へ引き寄せる。すると、コイルばねＣ１の付勢力を発端とする前記リンク運動により回動部材３４が所定位置まで変位する。この様な操作を上下両蝶番本体２０、５０において行うことにより、それぞれの回動部材３４を同一位置に揃えることが可能である。そのため、各蝶番本体２０、５０それぞれにおいて回動部材３４の位置を適宜微調整する必要がなく、回動扉１２を容易且つ迅速に取着することができる。
【００３２】
一方、タンス本体１０内の整理、清掃や引越し等に際してタンス本体１０から回動扉１２を取り外す場合には、上記取着の場合とは逆に、回動扉１２を開放した状態から該回動扉１２を僅かに上方へ持ち上げ、第１係合孔４５と第１支軸３７、第２係合孔４６と第２支軸３８とを分離してそれぞれの係合を解除する。これにより、タンス本体１０から回動扉１２が取り外される。即ち、回動扉１２を上方へ持ち上げる操作のみでその取り外し作業を容易に行うことができる。
【００３３】
このようにタンス本体１０から回動扉１２が取り外された状態では、スライド部材２５の短片部２７及び回動アーム３１の左端部がタンス本体１０の開口１１（前面）よりも前方へ突出している（図９参照）。この状態で、タンス本体１０を移動させたり、タンス本体１０の前を人が通過したりする場合には、上記回動アーム３１の左端部等に体の一部が接触する不都合が生じる可能性がある。そこで、スライド部材２５の短片部２７及び回動アーム３１の左端部を再度支持部材２１内に収容する必要がある。即ち、スライド部材２５を前記扉閉止位置までスライドさせ、回動アーム３１を支持部材２１内に押し込む。そして、扉閉止位置までスライドしたスライド部材２５は、前記コイルばねＣ１の付勢力によって所定位置に確実に保持される。
【００３４】
さて、図７及び図８に示すように、閉止状態の回動扉１２を開放する場合には、該回動扉１２の右端部を前方に引き出すことによって行われる。このとき、回動扉１２の開放に伴ってまず第１支軸３７が第１挟持側面４５ｂによって後方へ押圧されるとともに、第２支軸３８が第２挟持側面によって前方へ押圧される。すると、回動アーム３１の先端部が第３ピン３２を軸として前方へ回動し始め、これに伴って第２支軸３８が前方へ円弧状に移動する。更に、スライド部材２５が第１支軸３７を介してコイルばねＣ１の付勢力に引張られて右方へスライドし始める。
【００３５】
このとき、スライド部材２５の左端部（短片部２７）は、第２ガイド孔２２ｂに沿う第２ピン３０の所定移動に応じて左側後方から右側前方へと移動する。これに伴って第１支軸３７も同様に右側前方へと移動する。従って、回動扉１２の回動に際して、その左側縁は前記第１支軸３７に追従して前方へ変位する。このため、回動扉１２の左側縁とタンス本体１０の開口（天板１０ｃ及び底板１０ａ）との干渉が抑制される。
【００３６】
前記回動アーム３１の回動及びスライド部材２５のスライド移動に伴って、回動部材３４と取付け部材４０、６０とが一体で右方向へスライドしながら時計回りに回動変位する。この回動部材３４の回動変位に伴って回動扉１２の左側縁も順次右方向へ移動しながら該回動扉１２は前方へと回動する。従って、回動扉１２の回動途中において、その左側縁とタンス本体１０の開口（左側板１０ｂ）との干渉も抑制される。
【００３７】
図９に示すように、引き続き回動扉１２を回動させると、第１ピン２８及び第２ピン３０がそれぞれガイド孔２２ａ、２２ｂに沿って右方へ移動するのに伴って、スライド部材２５が更に右方へスライド移動するとともに、第２支軸３８が更に前方へと移動する。このとき、回動部材３４及び取付け部材４０、６０は一体となって更に右方へスライド移動しながら時計回りに回動変位する。この様な回動部材３４の回動変位に伴って回動扉１２の左側縁も更に右側前方へと変位する。そして、図９に示されるようにタンス本体１０の開口１１（前面）に対して回動扉１２を目的に応じた所望の角度まで回動したとき、第２ピン３０がガイド孔２２ｂの右端部に係止され、回動扉１２の回動が規制されてその開放状態が保持される。
【００３８】
上記回動扉１２の回動に際して、その左側縁の右斜め前方への移動により、タンス本体１０の左側板１０ｂ前端部と扉の左側縁との間には僅かな空間７０が形成される（図９参照）。このため、仮に回動扉１２の左側縁前面に各種模様部材が突設されている場合でも、これら模様部材が空間７０内に配置され、邪魔になることがない。
【００３９】
一方、回動扉１２を閉止する際には、上記回動扉１２の開放の場合とは逆に、その右側部を後方に向かって押圧することによって行われる。すると、第１支軸３７が第１挟持側面４５ｂによって左方へ押圧されるとともに、第２支軸３８が第２挟持側面４６ｂによって後方へ押圧される。このとき、前記第１支軸３７はコイルばねＣ１の付勢力に抗してスライド部材２５を左方へスライド移動させ、第２支軸３８は回動アーム３１を後方側に回動させる。この状態において、回動部材３４及び取付け部材４０、６０は一体となって左方へスライド移動しながら反時計回りに回動変位する。そして、第１ピン２８及び第２ピン３０がそれぞれガイド孔２２ａ、２２ｂの左端部に係止されたとき、回動部材３４、スライド部材２５及び回動アーム３１が図７に示される位置に配置されるとともに、タンス本体１０の開口が回動扉１２によって閉止される。
【００４０】
前記の実施形態によって発揮される効果について、以下に記載する。
・  家具用蝶番は、タンス本体１０に固設される蝶番本体２０、５０と回動扉１２の背面に固設される取付け部材４０、６０とにより構成されている。この取付け部材４０、６０は一対の係合孔４５、４６を有し、これら係合孔４５、４６が蝶番本体の第１支軸３７及び第２支軸３８に係脱可能となるように構成されている。即ち、この家具用蝶番では、蝶番本体と取付け部材とが凹凸関係（係合孔４５、４６と支軸３７、３８）により係脱可能に連結されるようになっていることから、タンス本体１０に対して回動扉１２を容易に着脱することができる。
【００４１】
・  取付け部材４０、６０の係合孔４５、４６には、係止板４３の周縁に向かって開口する開口部４５ａ、４６ａが設けられている。このため、タンス本体１０への回動扉１２の取り付けに際して、支軸３７、３８の側方又は上方のいずれの方向からでも各係合孔４５、４６と支軸３７、３８とを係合させることができる。従って、タンス本体１０への回動扉１２の取り付け作業を容易且つ迅速に行うことができる。
【００４２】
・  係合孔４５、４６の開口部４５ａ、４６ａは、それぞれ異なる方向に向かって開口されている。このため、取付け部材４０、６０に何らかの外力が付与された場合でも、開口部４５ａ、４６ａから同時に支軸３７、３８が抜け出ることがない。従って、蝶番本体２０、５０に対する取付け部材４０、６０の連結状態を効果的に保持することができる。
【００４３】
・  取付け部材の第２係合孔４６には、第２支軸３８の離脱を規制するための抜止部４７が設けられている。このため、回動扉１２の開閉時に何らかの外力が該回動扉１２に付与された場合でも、第２支軸３８と第２係合孔４６との係止状態が容易に解除されることがない。従って、蝶番本体２０、５０に対する取付け部材４０、６０の連結状態を好適に保持することができる。
【００４４】
・  回動扉１２の開放に際して、回動部材３４は、回動アーム３１の回動変位に基づく第２支軸３８の円弧運動と、スライド部材２５の右方向へのスライド移動に伴う第１支軸３７の略直線移動とのリンク運動により、右方向へスライドしながら回動変位するようになっている。このため、回動扉１２の開放に伴ってその左側縁は順次右方（実施形態では右斜め前方）へと移動する。従って、回動扉１２を開放する途中でその左側縁がタンス本体１０（左側板１０ｂ）に接触して該回動扉１２の開放が妨げられることがない。即ち、回動扉１２をスムーズに開放させることができる。加えて、厚みの大きい側板を備えるとともに開口を十分に閉止可能な大きさの回動扉１２を有する家具等においても、同様の効果が発揮され、デザインの自由度の向上が図られる。
【００４５】
・  第２ガイド孔２２ｂは、その右端部が左端部より前方に位置するように斜状に形成されている。即ち、回動扉１２の開放に際してスライド部材２５の短片部２７が前方（実施形態では右斜め前方）に向かって順次スライド移動する。このため、スライド部材２５の短片部２７に設けられた第１支軸３７に近接する回動扉１２の左側縁も、その開放に伴って前方に変位する。従って、回動扉１２の開放途中でその左側縁がタンス本体１０（天板１０ｃ、底板１０ａ）に接触して回動扉１２の回動が妨げられることがない。また、回動扉１２の開放状態において、該回動扉１２の左側縁とタンス本体１０の前面との間には間隙が設けられる。このため、タンス本体１０への回動扉１２の着脱がより容易となる。
【００４６】
・  取付け部材４０、６０の係止板４３は、回動扉１２の背面に設けられた扉側凹所１５、１６内に配設される。この状態において、該係止板４３の先端は回動扉１２の背面とほぼ面一となる。即ち、回動扉１２の背面から取付け部材４０、６０（係止板４３の先端）が突出するのが抑制され、意匠性の向上が図られる。また、使用者の手に係止板の先端が触れる可能性も低減し、安全性の向上を図ることができる。
【００４７】
なお、本実施形態は、次のように変更して具体化することも可能である。
・  図１０（ａ）に示すように、取付け部材４０、６０の第１開口部４５ａを省略し、第１係合孔４５を円孔状に形成してもよい。また、図１０（ｂ）に示すように、第２開口部４６ａを省略し、第２係合孔４６を円孔状に形成してもよい。
【００４８】
加えて、第１開口部４５ａ及び第２開口部４６ａをともに省略してもよい。即ち、第１係合孔４５及び第２係合孔４６をともに円孔状に形成してもよい。なおこの場合、蝶番本体２０、５０の各支軸３７、３８の上方から取付け部材４０、６０の両係合孔４５、４６がそれぞれ並行して係合される。
【００４９】
・  第１係合孔４５の開口端部にも、本実施形態と同様の抜止部４７を設けてもよい。このように構成した場合、第１係合孔４５からの第１支軸３７の離脱も効果的に抑制することができる。
【００５０】
・  回動部材３４の回動面３５と取付け部材の係止面４４とは、凹凸関係により係止されればよく、これを以下の様に変更しても良い。即ち、取付け部材の係止面４４に下方へ延びる一対の突起を突設するとともに、これら突起に対応する回動面３５に嵌挿孔を穿設（透設又は凹設）する。この場合、蝶番本体の嵌挿孔の上方から取付け部材の突起がそれぞれ嵌挿される。
【００５１】
・  両取付け部材４０、６０の補強板４２を省略する構成を採用してもよい。即ち、上部取付け部材４０は、係止板４３と該係止板４３の一端から下方へ延設される固定板４１とより側面視逆Ｌ字状に構成される。一方、下部取付け部材６０は、係止板４３と該係止板４３の一端から上方へ延設される固定板４１とより側面視Ｌ字状に構成される。この場合、各取付け部材４０、６０の固定板４１は、扉側凹所１５、１６内に配設される。
【００５２】
・  図１１（ａ）に示すように、両蝶番本体２０、５０における支持部材２１を、支持部２２と、該支持部２２の後端から上方へ延設される固定部２４とより構成してもよい。この場合、例えば固定部２４の左側部がタンス本体１０の左側板１０ｂに固定される。また、図１１（ｂ）に示すように、両蝶番本体２０、５０における支持部材２１の補強部２３を省略するとともに、固定部２４を前記支持部２２の左側縁から下方に延設する構成を採用してもよい。この場合、固定部２４がタンス本体１０の左側板１０ｂに固定される。
【００５３】
・  第１支軸３７及び第２支軸３８を介して前記回動部材３４をスライド部材２５及び回動アーム３１に軸着する構成でなくてもよい。即ち、回動部材３４の回動面３５に、上方へ延びる突起（第１支軸３７及び第２支軸３８）を突設するとともに、これら突起とは別の支軸により回動部材３４をスライド部材２５及び回動アーム３１に軸着する。
【００５４】
・  本体側凹所１３、１４及び扉側凹所１５、１６のうちいずれか一方を省略してもよく、両者を省略してもよい。
・  コイルばねＣ１を省略してもよい。
【００５５】
・  回動面３５と係止面４４との係合を行う係合手段は、第１及び第２係合手段の２つに限らず３つ以上設けられてもよい。
・  回動部材３４の回動中心が、第１支軸３７と第２支軸３８との間になくてもよい。
【００５６】
・  本実施形態の家具用蝶番を用いる家具は、タンスに限定されず、回動扉１２を備えた引戸タイプ家具であればいずれであってもよい。この種の家具には、システムキッチンに設けられる種種の収納部、屋外に配置される物置等が挙げられる。また、左右両開きの扉を有するタンスに本実施形態の蝶番を用いてもよい。
【００５７】
更に、前記実施形態より把握できる技術的思想について以下に記載する。
（１）  前記蝶番本体は、前記家具本体の開口端部に固定される支持部材と、該支持部材に対してスライド可能に支持されるスライド部材と、前記支持部材に対して回動可能に支持される回動アームと、前記回動面を有する回動部材とを備え、前記支持部材には、閉止状態の扉に沿うように延びる第１ガイド溝及び第２ガイド溝が設けられ、前記スライド部材の一端部には前記第１ガイド溝内に係入される第１ガイド凸部が設けられ、同スライド部材の他端部には前記第２ガイド溝内に係入される第２ガイド凸部と前記回動部材に軸着される第１回動軸とが設けられ、且つ前記回動アームの一端部には前記支持部材に軸支される固定軸が設けられ、同回動アームの他端部には前記回動部材に軸着される第２回動軸が設けられ、該第２回動軸は、前記第１回動軸とは異なる位置で前記回動部材に軸着されていることを特徴とする請求項１〜請求項６のいずれか一項に記載の家具用蝶番。このように構成した場合、扉をスムーズに開放させることができる。
【００５８】
（２）  前記スライド部材は、前記第１ガイド溝及び前記第２ガイド溝の他端部にそれぞれ前記第１ガイド凸部及び前記第２ガイド凸部が係止される扉閉止位置と、前記第１ガイド溝及び前記第２ガイド溝の一端部にそれぞれ前記第１ガイド凸部及び前記第２ガイド凸部が係止される扉開放位置との間をスライド可能とされ、前記第２ガイド溝の一端部は、他端部よりも前記閉止状態の扉に近接するように配置されていることを特徴とする前記（１）に記載の家具用蝶番。このように構成した場合、扉の側縁が前方へ変位することから、扉をスムーズに開放させることができる。
【００５９】
（３）  前記スライド部材と前記支持部材との間には付勢部材が設けられ、該付勢部材は前記スライド部材を前記扉閉止位置から前記扉開放位置へ向かう方向に付勢していることを特徴とする前記（２）に記載の家具用蝶番。このように構成した場合、スライド部材を滑らかにスライドさせることができる。
【図面の簡単な説明】
【００６０】
【図１】タンス本体に扉が取着された状態を示す斜視図。
【図２】上部蝶番を示す分解斜視図。
【図３】下部蝶番を示す分解斜視図。
【図４】（ａ）は上部取付け部材を示す正面図、（ｂ）は上部取付け部材を示す平面図、（ｃ）は上部取付け部材を示す側面図。
【図５】（ａ）は下部取付け部材を示す正面図、（ｂ）は図５（ａ）の５ｂ−５ｂ線における断面図、（ｃ）は下部取付け部材を示す側面図。
【図６】（ａ）〜（ｃ）はタンス本体への扉の取着手順を示す平面図。
【図７】扉の閉止状態における上部蝶番を示す平面図。
【図８】扉の回動途中における上部蝶番を示す平面図。
【図９】扉の開放保持状態における上部蝶番を示す平面図。
【図１０】（ａ）及び（ｂ）は本実施形態以外の係合孔を示す平面図。
【図１１】（ａ）及び（ｂ）は本実施形態以外の支持部材を示す斜視図。
【符号の説明】
【００６１】
１０…家具本体としてのタンス本体、１１…開口、１２…回動扉、２０…上部蝶番本体、３５…回動面、３７…第１係合凸部としての第１支軸、３８…第２係合凸部としての第２支軸、４０…上部取付け部材、４３…係止板、４４…係止面、４５…第１係合凹部としての第１係合孔、４５ａ…第１開口部、４６…第２係合凹部としての第２係合孔、４６ａ…第２開口部、５０…下部蝶番本体、６０…下部取付け部材。
【図１】
2005232874.tif 000003
【図２】
2005232874.tif 000004
【図３】
2005232874.tif 000005
【図４】
2005232874.tif 000006
【図５】
2005232874.tif 000007
【図６】
2005232874.tif 000008
【図７】
2005232874.tif 000009
【図８】
2005232874.tif 000010
【図９】
2005232874.tif 000011
【図１０】
2005232874.tif 000012
【図１１】
2005232874.tif 000013